(57)【要約】提供されるものは、キャリア集合を決定するための方法および装置、記憶媒体、および電子デバイスである。本方法は、以下のステップ、すなわち、サイドリンク伝送を実施するＵＥのための所定の論理チャネル群に対応する第１のキャリア集合が決定されるステップを含み、所定の論理チャネル群は、１つ以上の論理チャネルを含み、所定の論理チャネル群の中の論理チャネルは、同一の宛先ＩＤに対応する。ＵＥが、関連技術においてサイドリンク伝送を実施するときに完全なキャリア集合を決定するための方法を欠いているという問題が、解決され、サイドリンク伝送を決定するためにＵＥによって要求されるキャリア集合を決定するステップの目的が、達成される。
2021513786.tif 000002
【特許請求の範囲】
【請求項１】
キャリア集合を決定するための方法であって、
サイドリンク伝送を実施するユーザ機器（ＵＥ）のための所定の論理チャネル群に対応する第１のキャリア集合を決定すること
を含み、
前記所定の論理チャネル群は、１つ以上の論理チャネルを含み、前記所定の論理チャネル群の中の前記論理チャネルは、同一の宛先識別子（ＩＤ）に対応する、方法。
【請求項２】
前記サイドリンク伝送を実施する前記ＵＥのための前記所定の論理チャネル群に対応する前記第１のキャリア集合を決定することは、
前記サイドリンク伝送を実施する前記ＵＥのための第２のキャリア集合を決定することと、
前記第２のキャリア集合から前記第１のキャリア集合を決定することと
を含む、請求項１に記載の方法。
【請求項３】
前記サイドリンク伝送を実施する前記ＵＥのための第２のキャリア集合を決定することは、
前記ＵＥによって伝送される必要があるサービスのタイプ、前記ＵＥの伝送能力、キャリアが搬送することが可能であるサービスのタイプ、前記キャリア上のチャネルビジー比率（ＣＢＲ）、前記キャリアによって使用される同期基準情報のうちの少なくとも１つに従って、前記第２のキャリア集合を決定することであって、前記同期基準情報は、同期基準、同期基準ソース、または同期構成を含む、こと、または
基地局から前記第２のキャリア集合を受信すること
を含む、請求項２に記載の方法。
【請求項４】
前記第２のキャリア集合の中の各キャリアは、同一の同期基準、同一の同期基準ソース、または同一の同期構成を使用する、請求項３に記載の方法。
【請求項５】
前記同期構成は、前記キャリアの最高優先度同期基準タイプ、前記キャリアの同期基準ソースタイプ、または前記キャリアの同期基準優先度を含む、請求項４に記載の方法。
【請求項６】
前記キャリアが搬送することが可能である前記サービスのタイプ、前記キャリア上の前記ＣＢＲ、または前記キャリアによって使用される前記同期基準情報のうちの少なくとも１つに従って、かつ前記ＵＥによって伝送される必要がある前記サービスおよび前記ＵＥの伝送能力に従って、前記第２のキャリア集合を決定することは、
前記ＵＥによって伝送される必要があるサービスにそれぞれ対応するキャリア集合を、第１の候補キャリア集合として見なすことと、
前記第１の候補キャリア集合の中のキャリアを、前記キャリアが搬送することが可能である前記サービスのタイプ、前記キャリア上の前記ＣＢＲ、および前記キャリアによって使用される前記同期基準情報のうちの少なくとも１つに従って順序付けることと、
前記ＵＥの伝送能力に従って、前記順序付けられた第１の候補キャリア集合から、所定の数のキャリアを前記第２のキャリア集合として順に選択することと
を含む、請求項３に記載の方法。
【請求項７】
前記第２のキャリア集合から前記第１のキャリア集合を決定することは、
前記所定の論理チャネル群の中に含まれるサービスタイプに対応するキャリア集合に従って、前記所定の論理チャネル群に対応する第２の候補キャリア集合を決定することと、
前記第２のキャリア集合と前記第２の候補キャリア集合との共通部分集合の部分集合を前記第１のキャリア集合として決定することと
を含む、請求項２に記載の方法。
【請求項８】
前記所定の論理チャネル群の中に含まれる前記サービスタイプに対応する前記キャリア集合に従って、前記所定の論理チャネル群に対応する前記第２の候補キャリア集合を決定することは、
前記所定の論理チャネル群に対応する前記宛先ＩＤが、１つ以上のサービスタイプに対応すること、および前記１つ以上のサービスタイプが、同一のキャリア集合に対応することを決定することに応答して、前記第２の候補キャリア集合を、前記所定の論理チャネル群の中に含まれる前記サービスタイプのうちのいずれか１つに対応するキャリア集合として決定すること、
前記所定の論理チャネル群に対応する前記宛先ＩＤが、複数のサービスタイプに対応すること、および前記所定の論理チャネル群の中に含まれる前記複数のサービスタイプのキャリア集合の相互作用集合が、非空集合であることを決定することに応答して、前記第２の候補キャリア集合を、前記所定の論理チャネル群の中に含まれる前記複数のサービスタイプのキャリア集合の相互作用集合として決定すること、または
前記所定の論理チャネル群に対応する前記宛先ＩＤが、複数のサービスタイプに対応することを決定することに応答して、前記第２の候補キャリア集合を、前記所定の論理チャネル群の中に含まれる前記複数のサービスタイプのキャリア集合の合併集合として決定すること
のうちの１つを含む、請求項７に記載の方法。
【請求項９】
前記サイドリンク伝送を実施する前記ＵＥのための前記第２のキャリア集合を決定することは、
前記ＵＥのプロトコルスタックの上位層によって、前記第２のキャリア集合を決定することと、
前記ＵＥのプロトコルスタックの上位層によって、前記ＵＥのプロトコルスタックの下位層に、内部インターフェースを通して前記第２のキャリア集合を構成することと
を含む、請求項７に記載の方法。
【請求項１０】
前記所定の論理チャネル群の中に含まれる前記サービスタイプに対応する前記キャリア集合に従って、前記所定の論理チャネル群に対応する前記第２の候補キャリア集合を決定することは、
前記ＵＥのプロトコルスタックの上位層によって、前記所定の論理チャネル群の中に含まれる前記サービスタイプに対応する前記キャリア集合に従って、前記第２の候補キャリア集合を決定することと、
前記ＵＥのプロトコルスタックの上位層によって、前記ＵＥのプロトコルスタックの下位層に、前記内部インターフェースを通して前記第２の候補キャリア集合を構成することと
を含み、
前記第２のキャリア集合と前記第２の候補キャリア集合との共通部分集合の部分集合を、前記第１のキャリア集合として決定することは、
前記ＵＥのプロトコルスタックの下位層によって、前記第２のキャリア集合と前記第２の候補キャリア集合との共通部分集合の部分集合を、前記第１のキャリア集合として決定すること
を含む、請求項９に記載の方法。
【請求項１１】
前記所定の論理チャネル群の中に含まれる前記サービスタイプに対応する前記キャリア集合に従って、前記所定の論理チャネル群に対応する前記第２の候補キャリア集合を決定することは、
前記ＵＥのプロトコルスタックの上位層によって、前記所定の論理チャネル群の中に含まれる前記サービスタイプに対応する前記キャリア集合に従って、前記第２の候補キャリア集合を決定すること
を含み、
前記第２のキャリア集合と前記第２の候補キャリア集合との共通部分集合の部分集合を、前記第１のキャリア集合として決定することは、
前記ＵＥのプロトコルスタックの上位層によって、前記第２のキャリア集合と前記第２の候補キャリア集合との共通部分集合の部分集合を、前記第１のキャリア集合として決定することと、
前記ＵＥのプロトコルスタックの上位層によって、前記ＵＥのプロトコルスタックの下位層に、内部インターフェースを通して前記第１のキャリア集合を構成することと
を含む、請求項７に記載の方法。
【請求項１２】
前記ＵＥのプロトコルスタックの上位層は、前記ＵＥの無線リソース制御（ＲＲＣ）層を含み、
前記ＵＥのプロトコルスタックの下位層は、前記ＵＥの媒体アクセス制御（ＭＡＣ）層または前記ＵＥの物理（ＰＨＹ）層を含む、請求項９から１１のいずれか１項に記載の方法。
【請求項１３】
前記サイドリンク伝送を実施する前記ＵＥのための前記所定の論理チャネル群に対応する前記第１のキャリア集合を決定することの後、前記方法はさらに、
前記所定の論理チャネル群の中の前記論理チャネル内のデータパケットの優先順位、および前記第１のキャリア集合の中のキャリアのＣＢＲに従って、前記第１のキャリア集合から論理チャネルに対応するキャリア集合を決定すること
を含む、請求項１に記載の方法。
【請求項１４】
キャリア集合を決定するための装置であって、
決定モジュールであって、前記決定モジュールは、サイドリンク伝送を実施するユーザ機器（ＵＥ）のための所定の論理チャネル群に対応する第１のキャリア集合を決定するように構成される、決定モジュール
を備え、
前記所定の論理チャネル群は、１つ以上の論理チャネルを含み、前記論理チャネル群の中の前記論理チャネルは、同一の宛先識別子（ＩＤ）に対応する、装置。
【請求項１５】
前記決定モジュールは、
第１の決定ユニットであって、前記第１の決定ユニットは、前記サイドリンク伝送を実施する前記ＵＥのための第２のキャリア集合を決定するように構成される、第１の決定ユニットと、
第２の決定ユニットであって、前記第２の決定ユニットは、前記第２のキャリア集合から前記第１のキャリア集合を決定するように構成される、第２の決定ユニットと
を備える、請求項１４に記載の装置。
【請求項１６】
前記第２の決定ユニットは、
第１の決定サブユニットであって、前記第１の決定サブユニットは、前記所定の論理チャネル群の中に含まれるサービスタイプに対応するキャリア集合に従って、前記所定の論理チャネル群に対応する第２の候補キャリア集合を決定するように構成される、第１の決定サブユニットと、
第２の決定サブユニットであって、前記第２の決定サブユニットは、前記第２のキャリア集合と前記第２の候補キャリア集合との共通部分集合の部分集合を、前記第１のキャリア集合として決定するように構成される、第２の決定サブユニットと
を備える、請求項１５に記載の装置。
【請求項１７】
コンピュータプログラムを記憶するように構成される記憶媒体であって、前記コンピュータプログラムは、実行されると、請求項１から１３のいずれか１項に記載の方法を実行する、記憶媒体。
【請求項１８】
電子デバイスであって、前記電子デバイスは、メモリと、プロセッサとを備え、前記メモリは、コンピュータプログラムを記憶するように構成され、前記プロセッサは、請求項１から１３のいずれか１項に記載の方法を実行するための前記コンピュータプログラムを実行するように構成される、電子デバイス。
【発明の詳細な説明】
【技術分野】
【０００１】
本開示は、通信分野に関し、より具体的には、キャリア集合を決定するための方法および装置、記憶媒体、および電子デバイスに関する。
【背景技術】
【０００２】
サイドリンク通信システムでは、サイドリンクリソースが、ユーザ機器（ＵＥ）間での情報伝送のために使用される。具体的な適用シナリオおよびサービスタイプに従って、サイドリンク通信は、デバイス間（Ｄ２Ｄ）通信、車車間（Ｖ２Ｖ）または車車間・路車間（Ｖ２Ｘ）通信を含む、車両のインターネット通信等を含む。
【０００３】
車両のインターネット通信等のサイドリンク通信に関して、種々の領域内のスペクトル使用管理を調整し、受信機が正しいスペクトルを選択し、関与するサービスを受信することを促進するために、サービスによって使用され得る１つ以上の周波数／キャリア、およびサービスに対応するアクセス層の宛先識別子（ＩＤ）等を含む、Ｖ２Ｘサービスタイプに関するいくつかの構成パラメータが、現在、規定されている。サービスが、伝送のためにアクセス層に入ると、アクセス層は、１つ以上の論理チャネル上にサービスを伝送する。これらの論理チャネル上のデータパケットは、近接サービス（ＰｒｏＳｅ）パケット毎優先順位（ＰＰＰＰ）と、サービスに対応する宛先ＩＤとを有する。
【０００４】
サイドリンク通信システムにおいて、サービスが、ＵＥ間で伝送される必要があるとき、ＵＥ間のサービスデータは、ネットワーク側を通して自動転送されないが、データソースＵＥによって、サイドリンクを通して標的ＵＥに直接伝送される。図１は、関連技術によるサイドリンク通信の構造図である。加えて、通信リソースを入手するための方法に従って、サイドリンク通信は、２つのタイプの通信モードに分割され得る。第１のタイプのモードでは、ＵＥによってサイドリンク信号を送信するためのリソースが、基地局のスケジューリングから生じる。第２のタイプのモードでは、ＵＥは、リソース選択方略に従って、構成された、または事前に構成されたリソースプールの中のリソースの通信モードを自律的に選択する。リソース選択方略は、主に、感知機構と、部分的感知機構と、ランダム選択機構とを含む。
【０００５】
車両のインターネットにおける直接接続通信の需要の増加に伴って、サイドリンク通信システムに関する市場の要件も、持続的に増加している。例えば、レートまたは信頼性を増加させるために、サイドリンク通信システムが、キャリアアグリゲーション（ＣＡ）、すなわち、複数のキャリアが、並行伝送のために使用されること（「並行」は、ここで、同時または時分割式であり得る）をサポートし得ることが必要である。しかしながら、サイドリンクが通信のためにＣＡを使用するために解決されるべき問題は、通信のために選択されるキャリアの選択である。
【０００６】
サイドリンクＣＡに関する議論に関して、キャリア選択の新しい方法またはプロセスが、決定される必要がある。本段階において、キャリアのチャネルビジー比（ＣＢＲ）、伝送されるべきデータのサービスタイプ、データのＰＰＰＰ、およびＵＥの能力を含む、キャリア選択に影響を及ぼす多くの要因が、議論される。しかしながら、現在、キャリア選択の最終プロセスおよびキャリア選択のプロセスにおける上記の要因の作用方法の完全な定義は、存在しない。
【０００７】
ＵＥが、関連技術においてサイドリンク伝送を実施するときに完全なキャリア集合を決定するための方法を欠いているという問題を解決するための効率的なソリューションは、提供されていない。
【発明の概要】
【発明が解決しようとする課題】
【０００８】
本開示の実施形態は、少なくとも、ＵＥが、関連技術においてサイドリンク伝送を実施するときに完全なキャリア集合を決定するための方法を欠いているという問題を解決するための、キャリア集合を決定するための方法および装置、記憶媒体、および電子デバイスを提供する。
【課題を解決するための手段】
【０００９】
本開示のある実施形態によると、キャリア集合を決定するための方法が、提供される。本方法は、以下のステップ、すなわち、サイドリンク伝送を実施するＵＥのための所定の論理チャネル群に対応する第１のキャリア集合が、決定されるステップを含み、所定の論理チャネル群は、１つ以上の論理チャネルを含み、所定の論理チャネル群の中の論理チャネルは、同一の宛先ＩＤに対応する。
【００１０】
本開示の別の実施形態によると、キャリア集合を決定するための装置が、提供される。本装置は、サイドリンク伝送を実施するＵＥのための所定の論理チャネル群に対応する第１のキャリア集合を決定するように構成される、決定モジュールを含み、所定の論理チャネル群は、１つ以上の論理チャネルを含み、論理チャネル群の中の論理チャネルは、同一の宛先ＩＤに対応する。
【００１１】
本開示の別の実施形態によると、記憶媒体が、提供される。記憶媒体は、コンピュータプログラムを記憶するように構成され、コンピュータプログラムは、実行されると、上記に説明される方法の実施形態のいずれか１項に記載のステップを実行する。
【００１２】
本開示の別の実施形態によると、電子デバイスがさらに、提供される。電子デバイスは、メモリと、プロセッサとを含む。メモリは、コンピュータプログラムを記憶するように構成され、プロセッサは、上記に説明される方法の実施形態のいずれか１項に記載のステップを実行するためのコンピュータプログラムを実行するように構成される。
【００１３】
本開示の実施形態によると、所定の論理チャネル群に対応するキャリア集合が、決定され、サイドリンク伝送を実施するために、ＵＥに適用される。したがって、ＵＥが、関連技術においてサイドリンク伝送を実施するときに完全なキャリア集合を決定するための方法を欠いているという問題が、解決され、サイドリンク伝送を実施するためにＵＥによって要求されるキャリア集合を決定するステップの目的が、達成される。
【００１４】
本明細書に説明される図面は、本開示のさらなる理解を提供するために使用され、本願の一部を形成する。本開示内の例示的実施形態およびその説明は、本開示を解説するために使用され、本開示に不適切な限定を成すものではない。
【図面の簡単な説明】
【００１５】
【図１】図１は、本開示のある実施形態による、サイドリンク通信の構造図である。
【図２】図２は、本開示のある実施形態による、キャリア集合を決定するための方法のモバイル端末のハードウェア構造のブロック図である。
【図３】図３は、本開示の随意の実施形態による、キャリア集合を決定するための方法のフローチャートである。
【図４】図４は、本開示のある実施形態による、サイドリンク伝送のためにＵＥによって使用される、キャリア集合Ａを決定（または構成）するための方法の概略図である。
【図５】図５は、本開示のある実施形態による、サイドリンク伝送のためにＵＥによって使用される、キャリア集合Ａを決定（または構成）するための別の方法の概略図である。
【図６】図６は、本開示のある実施形態による、サイドリンク伝送のためにＵＥによって使用される、ｉ番目の論理のチャネルに対応するキャリア集合Ｂｉを決定（または構成）するための方法の概略図である。
【図７】図７は、本開示の随意の実施形態による、サイドリンクＣＡの中のデータプレーンの構造図である。
【図８】図８は、本開示の随意の実施形態による、キャリア集合を決定するための装置の構造ブロック図である。
【発明を実施するための形態】
【００１６】
本開示は、以降において、図面を参照し、実施形態と併せて詳細に説明されるであろう。不一致が生じていない場合、本願におけるその中の実施形態および特徴が、相互と組み合わせられ得ることに留意されたい。
【００１７】
本開示の説明、請求項、および上記の図面における、用語「第１の」、「第２の」、および同等物は、類似する物体を区別するために使用され、必ずしも特定の順序またはシーケンスを説明するために使用されるものではないことに留意されたい。
【００１８】
実施形態１
【００１９】
本願の実施形態１によって提供される方法の実施形態は、モバイル端末、コンピュータ端末、または他の類似するコンピューティングデバイスにおいて実行され得る。モバイル端末において実行されるべき方法の実施形態を実施例として取り上げると、図２は、本開示のある実施形態による、キャリア集合を決定するための方法に関する、モバイル端末のハードウェア構造のブロック図である。図２に示されるように、モバイル端末２０は、１つ以上の（１つのみが、図２に示される）プロセッサ２０２（プロセッサ２０２は、限定ではないが、マイクロコントローラユニット（ＭＣＵ）およびフィールドプログラマブルゲートアレイ（ＦＰＧＡ）等の処理デバイスを含み得る）と、データを記憶するように構成される、メモリ２０４とを含んでもよい。随意に、上記のモバイル端末はさらに、通信機能を実装するように構成される、入力／出力デバイス２０８と、伝送デバイス２０６とを含んでもよい。図２に示される構造は、例証的にすぎず、上記のモバイル端末の構造を限定することは意図していないことが、当業者によって理解されるはずである。例えば、モバイル端末２０はさらに、図２に示されるコンポーネントより多いまたは少ないコンポーネントを含んでもよい、または図２に示される構成と異なる構成を有してもよい。
【００２０】
メモリ２０４は、アプリケーションのソフトウェアプログラムおよびモジュール等のコンピュータプログラム、または本開示の実施形態におけるキャリア集合を決定するための方法に対応するコンピュータプログラムを記憶するように構成されてもよい。プロセッサ２０２は、メモリ２０４の中に記憶されるコンピュータプログラムを実行し、種々の機能アプリケーションおよびデータ処理を実行し、すなわち、上記に説明される方法を実装する。メモリ２０４は、高速ランダムアクセスメモリを含んでもよい、またはさらに、１つ以上の磁気記憶デバイス、フラッシュメモリ、または他の不揮発性ソリッドステートメモリ等の不揮発性メモリを含んでもよい。いくつかの実施例では、メモリ２０４はさらに、プロセッサ２０２に対して遠隔に配置される、メモリを含んでもよい。これらの遠隔メモリは、ネットワークを介してモバイル端末２０に接続されてもよい。上記のネットワークの実施例は、限定ではないが、インターネット、イントラネット、ローカルエリアネットワーク、モバイル通信ネットワーク、およびそれらの組み合わせを含む。
【００２１】
伝送デバイス２０６は、ネットワークを介してデータを受信または送信するように構成される。上記のネットワークの具体的な実施例は、モバイル端末２０の通信プロバイダによって提供される、無線ネットワークを含んでもよい。一実施例では、伝送デバイス２０６は、基地局を介して他のネットワークデバイスに接続され、それによって、インターネットと通信し得る、ネットワークインターフェースコントローラ（ＮＩＣ）を含む。ある実施例では、伝送デバイス２０６は、無線でインターネットと通信するように構成される、無線周波数（ＲＦ）モジュールであってもよい。
【００２２】
実施形態２
【００２３】
本実施形態は、上記に説明されるモバイル端末上で実行される、キャリア集合を決定するための方法を提供する。図３は、本開示のある実施形態による、キャリア集合を決定するための方法のフローチャートである。図３に示されるように、本方法は、下記に説明されるステップを含む。
【００２４】
ステップＳ３０２において、サイドリンク伝送を実施するＵＥのための所定の論理チャネル群に対応する第１のキャリア集合が、決定され、所定の論理チャネル群は、１つ以上の論理チャネルを含み、所定の論理チャネル群の中の論理チャネルは、同一の宛先ＩＤに対応する。
【００２５】
随意に、上記のステップは、端末によって実行されてもよく、上記の宛先ＩＤは、限定ではないが、ＰｒｏＳｅ宛先ＩＤまたは層２宛先ＩＤであってもよい。
【００２６】
上記の実施形態では、論理チャネル群に対応するキャリア集合が、決定され、論理チャネル群の中の論理チャネルはそれぞれ、同一の宛先ＩＤに対応する。したがって、ＵＥが、関連技術においてサイドリンク伝送を実施するときに完全なキャリア集合を決定するための方法を欠いているという問題が、解決され得、サイドリンク伝送を実施するためにＵＥによって要求されるキャリア集合を決定するステップの目的が、達成される。
【００２７】
随意の実施形態では、サイドリンク伝送を実施するＵＥのための所定の論理チャネル群に対応する第１のキャリア集合が決定されるステップは、以下のステップ、すなわち、サイドリンク伝送を実施するＵＥのための第２のキャリア集合が決定されるステップと、第１のキャリア集合が第２のキャリア集合から決定されるステップとを含む。本実施形態では、第１のキャリア集合は、第２のキャリア集合の部分集合である。
【００２８】
随意の実施形態では、サイドリンク伝送を実施するＵＥのための第２のキャリア集合が決定されるステップは、以下のステップ、すなわち、第２のキャリア集合が、ＵＥによって伝送される必要があるサービスのタイプ（本開示の実施形態では、サービスのタイプはまた、下記のものに等しいまたは類似する、サービス、アプリケーション、またはアプリケーションタイプとも呼ばれ得る）、ＵＥの伝送能力、キャリアが搬送することが可能であるサービスのタイプ、キャリア上のＣＢＲ、キャリアによって使用される同期基準情報であって、同期基準、同期基準ソース、または同期構成を含む、同期基準情報のうちの少なくとも１つに従って決定される、ステップ、または基地局からの第２のキャリア集合が受信されるステップを含む。本実施形態では、キャリア集合は、論理チャネル群または宛先ＩＤの粒度で構成される。複数の要因（ＣＢＲ（キャリア上のＣＢＲ）、同期（同期基準情報）、サービス（ＵＥによって伝送される必要があるサービスのタイプ）、ＵＥの伝送能力）が、キャリア集合を決定するために考慮される。キャリアが、以下の原理、すなわち、１）ＵＥが、キャリア集合Ａの中のキャリアとして伝送されるべき、（ＵＥによって伝送される必要があるサービスのタイプに対応する）複数のサービスに対応する複数のキャリア集合からキャリアを選択することと、２）サイドリンクＣＡのためのＵＥのキャリア集合Ａが、（ＵＥの伝送能力に対応する）ＵＥの能力を超過しないことと、３）ＵＥが、より低いＣＢＲを伴うキャリアを優先的に選択する等、各キャリアの（キャリア上のＣＢＲに対応する）ＣＢＲを考慮することと、４）ＵＥが、キャリアの（キャリアによって使用される同期基準情報に対応する）同期を考慮する（伝送のためのサイドリンクＣＡのために使用されるキャリアは、同一の同期基準、同一の同期基準ソース、または同一の同期構成を使用する）こととのうちの少なくとも１つを満たす必要がある、（第２のキャリア集合に対応する）キャリア集合Ａとして、候補キャリアから選択される。本実施形態では、基地局は、以下の様式、すなわち、ＵＥによって報告される（上記の実施形態では、ＵＥによって伝送される必要があるサービスのタイプと、ＵＥの伝送能力と、キャリアが搬送することが可能であるサービスのタイプと、キャリア上のＣＢＲと、キャリアによって使用される同期基準情報とを含む）情報が、受信され、基地局は、ＵＥによって報告された情報に従って第２のキャリア集合を決定することで、第２のキャリア集合を決定してもよい。
【００２９】
随意の実施形態では、第２のキャリア集合の中の各キャリアは、同一の同期基準、同一の同期基準ソース、または同一の同期構成を使用する。
【００３０】
随意の実施形態では、同期構成は、キャリアの最高優先度同期基準タイプ、キャリアの同期基準ソースタイプ、またはキャリアの同期基準優先度を含む。
【００３１】
随意の実施形態では、第２のキャリア集合が、キャリアが搬送することが可能であるサービスのタイプ、キャリア上のＣＢＲ、およびキャリアによって使用される同期基準情報のうちの少なくとも１つに従って、かつＵＥによって伝送される必要があるサービスおよびＵＥの伝送能力に従って決定されるステップは、以下のステップ、すなわち、それぞれ、ＵＥによって伝送される必要があるサービスに対応するキャリア集合が、第１の候補キャリア集合として見なされるステップと、第１の候補キャリア集合の中のキャリアが、キャリアが搬送することが可能であるサービスのタイプ、キャリア上のＣＢＲ、およびキャリアによって使用される同期基準情報のうちの少なくとも１つに従って順序付けられるステップと、ＵＥの伝送能力に従って、所定の数のキャリアが、第２のキャリア集合として、順序付けられた第１の候補キャリア集合から順に選択されるステップとを含む。本実施形態における具体的な構成の様式は、端末側または基地局側に適用可能であり、すなわち、端末は、上記の様式を通して第２のキャリア集合を決定し得、基地局もまた、上記の様式を通して第２のキャリア集合を決定し得る。
【００３２】
第２のキャリア集合を決定するための方法が、具体的実施形態と併せて以降に説明されるであろう。
【００３３】
具体的実施形態１
【００３４】
本実施形態は、サイドリンク伝送のためにＵＥによって使用される（本実施形態では、第２のキャリア集合に対応する）キャリア集合Ａを決定（または構成）するための方法を説明するために使用される。
【００３５】
キャリア集合Ａは、ＵＥがサイドリンクＣＡ伝送のために使用し得る、キャリア集合である。別様に規定されない限り、本実施形態における「伝送」は、受信するステップと、送信するステップとを含む。随意に、キャリア集合Ａは、サイドリンクＣＡの送信またはサイドリンクＣＡの受信のために構成され得、集合Ａの中のキャリアも、そのために使用され得る。ＵＥは、キャリア集合Ａの中キャリアが送信される前に、感知する、データを受信する、およびデータを送信する等の動作を実施する。キャリア集合Ａの中のキャリアの選択は、ＵＥが伝送することを希望するサービスのタイプ（サービスタイプ）と、ＵＥの伝送能力（ＵＥ能力）と、各キャリア上のＣＢＲと、各キャリア上で使用される同期基準／同期基準ソース、またはキャリアの最高優先度同期基準（ソース）タイプまたはキャリアの同期基準優先度を含む、各キャリア上の同期基準構成（同期構成としても公知である）を含む、種々の要因に関連する。図４に示されるように、各要因の役割は、以下の通りである。
【００３６】
（１）（ＵＥによって伝送される必要があるサービスのタイプに対応する）サービス：各サービスは、サイドリンク伝送を実施することが可能である周波数／キャリアの集合に対応する。特別な説明のない状態では、本開示の実施形態における「キャリア」は、概して、周波数／キャリアと同等である。ＵＥが、ＣＡを使用し、サービスを伝送することを希望する場合、ＵＥは、サービスに対応するキャリア集合の中の１つ以上のキャリアを選択するべきである。ＵＥが、複数のサービスを同時に伝送する場合、ＵＥは、キャリア集合Ａの中のキャリアとして、複数のサービスに対応する複数のキャリア集合からキャリアを選択するべきである。具体的な実装では、異なるサービスが、異なる優先度レベルを有し、同一のサービスの異なるキャリアもまた、異なる優先度レベルを有し得る。ＵＥは、キャリアを選択するとき、キャリア選択のためにこれらの優先度レベルを考慮する。例えば、より高優先度のサービスのためのより高優先度のキャリアが、優先的に選択され得る。
【００３７】
（２）（ＵＥの伝送能力に対応する）ＵＥ能力：ＵＥ能力は、主に、ＵＥの受信能力を含む。ＵＥが、感知ベースのモードで送信する前に、ＵＥは、キャリアに対して感知するステップを実施し、ＵＥが同時に感知することが可能であるキャリアの数は、ＵＥの受信能力によって限定され、そのため、キャリア集合Ａの中のキャリアの数は、ＵＥの受信能力を超過するべきではない。随意に、キャリア集合Ａの中のキャリアを、ＵＥが同時に伝送し得るキャリアの数、ＵＥが同時に送信し得る周波数帯域の組み合わせ、およびＵＥが不連続キャリア上で送信し得るかどうか等の要因に従って決定することを含む、ＵＥの送信能力もまた、考慮され得る。例えば、ＵＥが同時に送信し得るキャリアの数は、２であり、キャリアが、２つの周波数帯域間で切り替えられることはサポートされておらず、受信能力は、８であり、（１つの周波数帯域が、４つのキャリアを含むと仮定して）キャリアが、２つの周波数帯域上で受信されることがサポートされる。この場合、キャリア集合Ａは、ある周波数帯域上で４つのキャリアであるように構成され得る、またはキャリア集合Ａのサイズは、２の伝送能力に従って、２以下に限定される。
【００３８】
（３）（キャリア上のＣＢＲに対応する）ＣＢＲ：候補キャリア毎に、チャネルビジー状態が、各キャリアに関して異なる。輻輳を回避するために、ＵＥは、キャリア集合Ａの中のキャリアとして、より低いＣＢＲを伴うキャリアを選択するべきである。候補キャリアのＣＢＲは、ＵＥによって測定されてもよい（ＵＥは、時分割様式で各キャリアに関してＣＢＲ測定を実施してもよく、候補キャリアの数は、ＵＥの受信能力を上回ってもよい）、またはネットワーク側または他の機器から入手されてもよい。
【００３９】
（４）（上記の同期基準情報に対応する）同期基準／同期基準ソース／同期構成：複数のキャリアの伝送に関して、複数のキャリアのタイミングが、整合されない場合、すなわち、同期基準、同期基準ソース、または同期構成が、異なるとき、チャネル使用効率は、影響を及ぼされ、ＵＥの複雑性が、増大される。したがって、送信するステップのためにサイドリンクＣＡによって使用されるキャリアは、同一の同期基準、同一の同期基準ソース、または同一の同期構成を使用し、受信するステップのためにサイドリンクＣＡによって使用されるキャリアも、同一の同期基準、同一の同期基準ソース、または同一の同期構成を使用する。したがって、概して、キャリア集合Ａの中のキャリアは、同一の同期基準、同一の同期基準ソース、または同一の同期構成を使用するべきである。代替として、キャリア集合Ａの中のキャリアは、同一の同期構成を有するべきである。同期構成は、キャリアの最高優先度同期基準（ソース）タイプまたはキャリアの同期基準優先度を含む。
【００４０】
キャリア集合Ａが、決定されるとき、以下の原理のうちの少なくとも１つを充足することが必要である。
１）ＵＥは、キャリア集合Ａの中の（ＵＥによって伝送される必要があるサービスのタイプに対応する）キャリアとして、伝送されるべき複数のサービスに対応する複数のキャリア集合から、キャリアを選択する。
２）サイドリンクＣＡのためのＵＥのキャリア集合Ａは、（ＵＥの伝送能力に対応する）ＵＥ能力を超過しない。
３）ＵＥは、各キャリアのＣＢＲを考慮し、例えば、より低いＣＢＲを伴うキャリアが、優先的に選択される（キャリア上のＣＢＲに対応する）。
４）ＵＥは、伝送のためにサイドリンクＣＡによって使用されるキャリアが、（キャリアによって使用される同期基準情報に対応する）同一の同期基準、同一の同期基準ソース、または同一の同期構成を使用する場合、キャリアの同期を考慮する。
【００４１】
キャリア集合Ａを決定するための具体的な方法は、以下の通りである。
１）ＵＥは、伝送されるべき複数のサービスに対応する複数のキャリア集合を決定し、これらの集合の中のキャリアは、全て、候補キャリアである。
２）ＵＥは、候補キャリアを順序付けし、順序付けに影響を及ぼす要因は、キャリアが搬送することが可能であるサービスのタイプ、ＣＢＲ、同期基準情報等を含む。
３）ＵＥ能力を超過しない前提下で、順序付けられた候補キャリアの最前列に順序付けられたキャリアが、（第２のキャリア集合に対応する）キャリア集合Ａとして捕捉される。
【００４２】
具体的実施形態２
【００４３】
本実施形態は、サイドリンク伝送のためにＵＥによって使用される（第２のキャリア集合に対応する）キャリア集合Ａを決定（または構成）するための別の方法を説明するために使用される。
【００４４】
本具体的実施形態では、構成されたキャリア集合Ａは、受信のためにサイドリンクＣＡによって使用され得るキャリア集合Ａ１と、送信のためにサイドリンクＣＡによって使用され得るキャリア集合Ａ２とを含む。一般に、Ａ２は、Ａ１の部分集合である。ＵＥは、図５に示されるように、集合Ａ２の中のキャリア上に送信する前に、感知および送信する等の動作を実施し、ＵＥは、集合Ａ１の中のキャリア上に送信する前に、受信する等の動作を実施する。具体的実施形態１と同様に、（Ａ１と、Ａ２とを含む）キャリア集合Ａの中のキャリアの選択は、ＵＥが伝送することを希望するサービスのタイプ（サービスタイプ）と、ＵＥの伝送能力（ＵＥ能力）と、ＣＢＲと、各キャリア上で使用される同期基準／同期基準ソースとを含む、種々の要因に関連し、具体的な原理およびプロセスは、具体的実施形態１におけるキャリア集合Ａの決定原理と一貫する。
【００４５】
加えて、具体的実施形態１および具体的実施形態２に適用可能であるように、キャリア集合Ａは、プロトコルスタックの上位層によって決定され、下位層に構成され得る。随意に、キャリア集合Ａは、プロトコルスタックの上位層によって決定され、ＵＥの下位層に、内部インターフェースを通して構成され得る。概して、キャリア集合Ａは、無線リソース制御（ＲＲＣ）層によって決定され、下位層に構成される。下位層は、媒体アクセス制御（ＭＡＣ）層または物理（ＰＨＹ）層であってもよい。キャリア集合Ａはまた、基地局によって決定され、ＵＥに、シグナリングを通して構成されてもよい。
【００４６】
随意の実施形態では、第１のキャリア集合が、上記に説明される第２のキャリア集合から決定されるステップは、以下のステップ、すなわち、所定の論理チャネル群に対応する第２の候補キャリア集合が、所定の論理チャネル群の中に含まれるサービスタイプに対応するキャリア集合に従って決定されるステップと、第２のキャリア集合と第２の候補キャリア集合との共通部分集合の部分集合が、第１のキャリア集合として決定されるステップとを含む。本実施形態では、論理チャネル群に対応する（第２の候補キャリア集合に対応する）キャリア集合Ｃが、論理チャネル群の中に含まれるサービスタイプに従って決定され得る。（第２のキャリア集合に対応する）キャリア集合Ａとキャリア集合Ｂとの共通部分集合が、上記の実施形態において得られ、それによって、（第１のキャリア集合に対応する）取得されたキャリア集合Ｂは、論理チャネル群に対応するキャリア集合として使用される。
【００４７】
随意の実施形態では、所定の論理チャネル群に対応する第２の候補キャリア集合が、所定の論理チャネル群の中に含まれるサービスタイプに対応するキャリア集合に従って決定されるステップは、以下のステップ、すなわち、所定の論理チャネル群に対応する宛先ＩＤが、１つ以上のサービスタイプに対応し、１つ以上のサービスタイプが、同一のキャリア集合に対応する場合、第２の候補キャリア集合が、所定の論理チャネル群の中に含まれるサービスタイプのうちのいずれか１つに対応するキャリア集合（またはキャリア集合の部分集合）として決定されるステップ、所定の論理チャネル群に対応する宛先ＩＤが、複数のサービスタイプに対応し、所定の論理チャネル群の中に含まれる複数のサービスタイプのキャリア集合の相互作用集合が、非空集合である場合、第２の候補キャリア集合が、所定の論理チャネル群の中に含まれる複数のサービスタイプのキャリア集合の相互作用集合（または相互作用集合の部分集合）として決定されるステップ、または所定の論理チャネル群に対応する宛先ＩＤが、複数のサービスタイプに対応する場合、第２の候補キャリア集合が、所定の論理チャネル群の中に含まれる複数のサービスタイプのキャリア集合の合併集合（または合併集合の部分集合）として決定されるステップのうちの１つを含む。本実施形態では、論理チャネル群または宛先ＩＤが使用し得る（第１のキャリア集合に対応する）キャリア集合が、ＵＥ毎に構成される（第２のキャリア集合に対応する）キャリア集合Ａと論理チャネル群または宛先ＩＤ毎に決定される（第２の候補キャリア集合に対応する）キャリア集合Ｃとの相互作用集合を通して決定される。実施形態が、具体的実施形態を参照して下記に説明される。
【００４８】
具体的実施形態３
【００４９】
本具体的実施形態では、サイドリンク伝送のためにＵＥによって使用されるｉ番目の論理チャネルに対応する（第１のキャリア集合に対応する）キャリア集合Ｂｉを決定（または構成）するための方法が、説明される。論理チャネル群の中の論理チャネルは、同一の宛先ＩＤを有し、すなわち、論理チャネル群ｉは、１つのみの宛先ＩＤｉに対応する。本実施形態では、サイドリンク伝送のためにＵＥによって使用されるｉ番目の論理チャネル群に対応するキャリア集合Ｂｉを決定（または構成）するステップが、サイドリンク伝送のためにＵＥによって使用される宛先ＩＤｉに対応するキャリア集合Ｂｉを決定（または構成）するステップと同等であることもまた、仮定される。サービスタイプは、サービスを伝送することが可能である宛先ＩＤおよびキャリア集合に対応する。一方、異なるサービスが、同一の宛先ＩＤに対応し得、異なるサービスに対応するキャリア集合は、同一であり得るか、部分的に同一であり得るか、または交差していない場合がある。実施形態が、具体的な対応関係を参照して下記に説明される。
【００５０】
方法１：サービスタイプおよび宛先ＩＤが、１対１の対応にあるように定義される、または同一のキャリア集合に対応するサービスタイプのみが、同一の宛先ＩＤに対応し得る。（第１のキャリア集合に対応する）キャリア集合Ｂｉがサイドリンク伝送のためにＵＥによって使用される宛先ＩＤｉに対応するステップは、以下のステップ、すなわち、１つ以上のサービスタイプが、宛先ＩＤＩに対応する条件において、対応するサービスタイプの数が、Ｎである場合、論理チャネル群ｉの中に含まれる宛先ＩＤｉまたはｊ番目のサービスに対応するキャリア集合は、Ｃｉ，ｊであり、上記に説明されるように、Ｎ個のサービスの全てに対応するキャリア集合が、同一である場合、宛先ＩＤｉに対応する候補キャリア集合は、（第２の候補キャリア集合に対応する）Ｃｉ＝Ｃｉ，１＝Ｃｉ，２．．．＝Ｃｉ，Ｎであり、サイドリンク伝送のためにＵＥによって使用される宛先ＩＤｉに対応する（第１のキャリア集合に対応する）キャリア集合Ｂｉが、（第２の候補キャリア集合に対応する）候補キャリア集合Ｃｉとサイドリンク伝送のためにＵＥによって使用される（第２のキャリア集合に対応する）決定（または構成）されたキャリア集合Ａとの相互作用集合に属する、またはそれに等しい、すなわち、
【化１】
2021513786.tif 000003
であることが決定されるステップを含む。
【００５１】
方法２：複数のサービスが、同一の宛先ＩＤに対応し得るが、複数のサービスは、複数のサービスのキャリア集合の共通部分集合が空ではない場合に限り、同一の宛先ＩＤに対応し得る。
【００５２】
サイドリンク伝送のためにＵＥによって使用される宛先ＩＤｉに対応する（第１のキャリア集合に対応する）キャリア集合Ｂｉが決定されるステップは、以下のステップ、すなわち、１つ以上のサービスタイプが、宛先ＩＤｉに対応する条件下で、対応するサービスタイプの数が、Ｎである場合、論理チャネル群ｉの中に含まれる宛先ＩＤｉまたはｊ番目のサービスに対応するキャリア集合は、Ｃｉ，ｊであり、宛先ＩＤｉに対応する候補キャリア集合が、サービスのキャリア集合の相互作用に属し、随意に、
【化２】
2021513786.tif 000004
となる、（第２の候補キャリア集合に対応する）Ｃｉであることと、同様に、キャリア集合Ｂｉが、
【化３】
2021513786.tif 000005
であることとが決定される、ステップを含む。
【００５３】
方法３：複数のサービスが、同一の宛先ＩＤに対応し得、複数のサービスのキャリア集合は、同一であり得る、完全に異なり得る、または部分的に同一であり得る。図６に示されるように、サイドリンク伝送のためにＵＥによって使用される宛先ＩＤｉに対応する（第１のキャリア集合に対応する）キャリア集合Ｂｉが決定（または構成）されるステップは、以下のステップ、すなわち、１つ以上のサービスタイプが、宛先ＩＤｉに対応する条件下で、対応するサービスタイプの数が、Ｎである場合、論理チャネル群ｉの中に含まれる宛先ＩＤｉまたはｊ番目のサービスに対応するキャリア集合は、Ｃｉ，ｊであり、宛先ＩＤｉに対応する候補キャリア集合が、サービスのキャリア集合の合併集合に属し、随意に、
【化４】
2021513786.tif 000006
となる、（第２の候補キャリア集合に対応する）Ｃｉであることと、同様に、（第１のキャリア集合に対応する）キャリア集合Ｂｉが、
【化５】
2021513786.tif 000007
であることとが決定される、ステップを含む。
【００５４】
具体的実施形態４
【００５５】
本実施形態は、サイドリンク伝送のためにＵＥによって使用されるｉ番目の論理チャネル群に対応するキャリア集合Ｂｉを決定（または構成）するための別の方法を説明するために使用される。１つの論理チャネル群の中の論理チャネルは、同一の宛先ＩＤを有し、異なる論理チャネル群も、同一の宛先ＩＤに対応し得る。異なる論理チャネル群が、同一の宛先ＩＤに対応する場合でも、異なる論理チャネル群は、依然として、（第１のキャリア集合に対応する）異なるキャリア集合Ｂｉに対応し得る。
【００５６】
１つ以上のサービスタイプが、論理チャネル群ｉ上で搬送される。対応するサービスタイプの数が、Ｎである場合、論理チャネル群ｉの中に含まれるｊ番目のサービスに対応するキャリア集合は、Ｃｉ，ｊである。ここで、Ｎ個のサービスの全てに対応するキャリア集合が、同一である場合、論理チャネル群ｉに対応する候補キャリア集合は、（第２の候補キャリア集合に対応する）Ｃｉ＝Ｃｉ，１＝Ｃｉ，２．．．＝Ｃｉ，Ｎであり、サイドリンク伝送のためにＵＥによって使用される論理チャネル群ｉに対応する（第１のキャリア集合に対応する）キャリア集合Ｂｉが、（第２の候補キャリア集合に対応する）候補キャリア集合Ｃｉとサイドリンク伝送のためにＵＥによって使用される（第２のキャリア集合に対応する）決定（または構成）されたキャリア集合Ａとの共通部分集合に属する、またはそれに等しい、すなわち、
【化６】
2021513786.tif 000008
であることが決定（または構成）される。
【００５７】
複数の論理チャネル群が、同一の宛先ＩＤに対応する場合、複数の論理チャネル群の理論データは、同一または複数のプロトコルデータユニット（ＰＤＵ）において多重化され得、１つのＰＤＵが、１つのキャリア上で搬送されるであろう。しかしながら、複数の論理チャネル群が、論理チャネル群毎に多重化されると、ＰＤＵが論理チャネル群ｉのデータパケットを搬送するキャリアが、論理チャネル群ｉに対応する（第１のキャリア集合に対応する）キャリア集合Ｂｉに属することが、満たされなければならない。本実施形態における特別な実施例に関して、論理チャネル群が、１つのみの論理チャネルを含むとき、サイドリンク伝送のためにＵＥによって使用されるｉ番目の論理チャネル群に対応するキャリア集合Ｂｉを決定（または構成する）ステップは、サイドリンク伝送のためにＵＥによって使用されるｉ番目の論理チャネルに対応するキャリア集合Ｂｉを決定（または構成）するステップと同等である。
【００５８】
随意の実施形態では、サイドリンク伝送を実施するＵＥのための第２のキャリア集合が決定されるステップは、以下のステップ、すなわち、ＵＥのプロトコルスタックの上位層が、第２のキャリア集合を決定するステップと、ＵＥのプロトコルスタックの上位層が、ＵＥのプロトコルスタックの下位層に、内部インターフェースを通して第２のキャリア集合を構成するステップとを含む。本実施形態では、（ＵＥのＲＲＣ層または基地局等の）プロトコルスタックの上位層は、上記の実施形態に従って、（第２の候補キャリア集合に対応する）キャリア集合Ａを決定し、ＵＥの（ＭＡＣ層またはＰＨＹ層等の）下位層エンティティに、内部インターフェースまたはシグナリングを通してキャリア集合Ａを構成する。
【００５９】
随意の実施形態では、所定の論理チャネル群に対応する第２の候補キャリア集合が、上記に説明される所定の論理チャネル群の中に含まれるサービスタイプに対応するキャリア集合に従って決定されるステップは、以下のステップ、すなわち、ＵＥのプロトコルスタックの上位層が、所定の論理チャネル群の中に含まれるサービスタイプに対応するキャリア集合に従って第２の候補キャリア集合を決定するステップと、ＵＥのプロトコルスタックの上位層が、ＵＥのプロトコルスタックの下位層に、内部インターフェースを通して第２の候補キャリア集合を構成するステップとを含む。第２のキャリア集合と第２の候補キャリア集合との共通部分集合の部分集合が第１のキャリア集合として決定されるステップは、以下のステップ、すなわち、ＵＥのプロトコルスタックの下位層が、第２のキャリア集合と第２の候補キャリア集合との共通部分集合の部分集合を第１のキャリア集合として決定するステップを含む。本実施形態では、プロトコルスタックの上位層は、上記の実施形態における方法に従って、宛先ＩＤｉまたは論理チャネル群ｉに対応する候補キャリア集合Ｃｉを決定し、ＵＥの下位層エンティティまたはＵＥに、内部インターフェースまたはシグナリングを通して候補キャリア集合Ｃｉを構成し、ＵＥの下位層エンティティまたはＵＥは、上記の実施形態における方法に従って、サイドリンク伝送のためにＵＥによって使用される宛先ＩＤｉまたは論理チャネル群ｉに対応する（第１のキャリア集合に対応する）キャリア集合Ｂｉを決定する。複数の宛先ＩＤまたは論理チャネル群が、提供される場合、上記の動作は、各宛先ＩＤまたは論理チャネル群に関して実施される。
【００６０】
随意の実施形態では、所定の論理チャネル群に対応する第２の候補キャリア集合が、上記に説明される所定の論理チャネル群の中に含まれるサービスタイプに対応するキャリア集合に従って決定されるステップは、以下のステップ、すなわち、ＵＥのプロトコルスタックの上位層が、所定の論理チャネル群の中に含まれるサービスタイプに対応するキャリア集合に従って、第２の候補キャリア集合を決定するステップを含む。第２のキャリア集合と第２の候補キャリア集合との共通部分集合の部分集合が第１のキャリア集合として決定されるステップは、以下のステップ、すなわち、ＵＥのプロトコルスタックの上位層が、第２のキャリア集合と第２の候補キャリア集合との共通部分集合の部分集合を第１のキャリア集合として決定するステップと、ＵＥのプロトコルスタックの上位層が、ＵＥのプロトコルスタックの下位層に、内部インターフェースを通して第１のキャリア集合を構成するステップとを含む。本実施形態では、プロトコルスタックの上位層は、上記の実施形態における方法に従って、宛先ＩＤｉまたは論理チャネル群ｉに対応する（第２の候補キャリア集合に対応する）候補キャリア集合Ｃｉを決定し、さらに、サイドリンク伝送のためにＵＥによって使用される宛先ＩＤｉまたは論理チャネル群ｉに対応する（第１のキャリア集合に対応する）キャリア集合Ｂｉを決定し、ＵＥの下位層エンティティまたはＵＥに、内部インターフェースまたはシグナリングを通してＢｉを構成する。複数の宛先ＩＤまたは論理チャネル群が、提供される場合、上記の動作が、各宛先ＩＤまたは論理チャネル群に関して実施される。
【００６１】
随意の実施形態では、上記に説明されるＵＥのプロトコルスタックの上位層は、ＵＥのＲＲＣ層を含み、ＵＥのプロトコルスタックの下位層は、ＵＥのＭＡＣ層またはＵＥのＰＨＹ層を含む。本実施形態では、上記の実施形態においていずれの方法が使用されているかにかかわらず、サイドリンク伝送のためにＵＥによって使用される宛先ＩＤｉまたは論理チャネル群ｉに対応する（第１のキャリア集合に対応する）キャリア集合Ｂｉを決定（または構成）する具体的なプロセスは、以下、すなわち、（ＵＥのＲＲＣ層または基地局等の）プロトコルスタックの上位層が、上記の実施形態に従ってキャリア集合Ａを決定し、ＵＥの（ＭＡＣ層またはＰＨＹ層等の）下位層エンティティまたはＵＥにキャリア集合Ａを構成するようなものであり得る。
【００６２】
随意の実施形態では、サイドリンク伝送を実施するＵＥのための所定の論理チャネル群に対応する第１のキャリア集合が決定された後、本方法はさらに、以下のステップ、すなわち、論理チャネルに対応するキャリア集合が、所定の論理チャネル群の中の論理チャネル内のデータパケットの（ＰＰＰＰ等の）優先順位、および第１のキャリア集合の中のキャリアのＣＢＲに従って、第１のキャリア集合から決定されるステップを含む。本実施形態では、サイドリンク伝送のための宛先ＩＤｉまたは論理チャネル群ｉに対応する（第１のキャリア集合に対応する）キャリア集合Ｂｉが、決定された後、キャリア集合は、論理チャネル群ｉの中に含まれる、または宛先ＩＤｉに対応する１つ以上の論理チャネルによって使用されることが可能である。論理チャネルが、同一の論理チャネル群に属する場合でも、各論理チャネルに対応するＰＰＰＰはまた、異なる。例えば、論理チャネル群ｉは、１、２、．．．Ｋと付番されるＫ個の論理チャネルを含み、ｋ番目の論理チャネルのＰＰＰＰは、ＰＰＰＰｉ，ｋであり、ｋ番目の論理チャネルによって使用され得るキャリア集合は、ＰＰＰＰｉ，ｋおよび各キャリア上のＣＢＲに従って決定され、本集合は、Ｄｉ，ｋとして定義され得、Ｄｉ，ｋは、Ｂｉの部分集合に属する。
【００６３】
随意に、Ｄｉ，ｋを決定するための方法は、以下の通りであり、すなわち、現在の技術に従って、ＵＥが、あるキャリアのＣＢＲを入手し得る。構成されたＣＢＲ−ＰＰＰＰテーブルに従って、ある論理チャネルがあるキャリアを使用し得るかどうかが、決定される。各ＰＰＰＰのデータパケットまたは論理チャネルに関して、これは、異なるＣＢＲ範囲内の異なるチャネル占有率最大限度（ｃｒ−Ｌｉｍｉｔ）および（変調および符号化スキーム（ＭＣＳ）および電力等の）伝送（Ｔｘ）パラメータに対応し得る。表１に示されるように、現在のキャリアのＣＢＲが、ある範囲内にあるとき、ある論理チャネルのＰＰＰＰが、テーブルをルックアップすることによって要求されるｃｒ−Ｌｉｍｉｔおよび伝送パラメータを満たしていない場合、論理チャネルは、そのキャリアを使用し得ない。
【表１】
2021513786.tif 000009
【００６４】
各キャリアは、１つのＣＢＲ−ＰＰＰＰテーブル（すなわち、表１）を用いて構成されてもよい、または全てのキャリアは、同一のＣＢＲ−ＰＰＰＰテーブルを用いて構成される。また、上記のＰＰＰＰ−ＣＢＲテーブルに加えて、論理チャネルによって使用され得るキャリアは、他のテーブルまたは対応関係によって限定され得る。例えば、（１）あるキャリアに関して、ＣＢＲの閾値が、ＰＰＰＰ毎に構成され、キャリアのＣＢＲが、閾値を超過する場合、ＰＰＰＰに対応する論理チャネルは、キャリアを使用し得ず、（２）いくつかの論理チャネルは、同一のキャリア上に伝送され得ず、例えば、２つの論理チャネルが、データの同一の集合を繰り返して伝送し、信頼性を改良し、それによって、論理チャネルの本対が、識別されるであろうように使用され、ＭＡＣが、リソースのスケジューリングを実施すると、これらの２つの論理チャネルのデータは、異なるキャリアまたはキャリア集合を占有しなければならず、（３）上位層は、論理チャネル毎に対応するキャリア集合を設定し、これらのキャリア集合は、全て、Ｂｉの部分集合であり、論理チャネルに対応するキャリア集合は、論理チャネルによって搬送されるサービス等の情報に従って決定され得る。
【００６５】
加えて、本実施形態は、本開示において説明されるサイドリンクＣＡの中のデータプレーンの構造を説明するために使用される。図７に示されるように、１つの論理チャネルは、１つの無線リンク制御（ＲＬＣ）エンティティおよび１つのパケットデータ収束プロトコル（ＰＤＣＰ）エンティティに対応する。サイドリンク伝送のために使用されるとき、ＲＬＣの主要機能が、データセグメント化のために使用され、ＰＤＣＰエンティティは、暗号化およびヘッダ圧縮等の動作のために使用される。同時に、同一の論理チャネルの中のパケットが、同一のＰＰＰＰおよび同一の宛先ＩＤに対応する。同一の宛先ＩＤを伴うＭ個の論理チャネルが、ＭＡＣエンティティによって、ＭＡＣ層の同一のＰＤＵまたはＰＤＵの同一の集合に多重化され得る。Ｍ個の論理チャネルが、Ｎ個のキャリア上に位置するＮ個のＰＤＵに多重化されると、仮定される。どの具体的な論理チャネルが、どのキャリア上のＰＤＵに多重化されるかは、具体的にキャリア集合を決定するための方法を指す、論理チャネルのデータパケットのＰＰＰＰ、キャリアのＣＢＲ、および論理チャネルに対応するキャリア集合に関連する。上記に言及される説明によると、上記に説明される実施形態における方法が、ソフトウェアおよび必要な汎用目的ハードウェアプラットフォームによって実装され得る、または当然ながら、ハードウェアによって実装され得ることが、当業者に明白となるであろう。しかしながら、多くの場合、前者が、好ましい実装様式である。本理解に基づいて、本開示の技術的ソリューションは、本質的に、または関連技術に寄与する部分は、ソフトウェア製品の形態で具現化され得る。コンピュータソフトウェア製品は、（読取専用メモリ（ＲＯＭ）／ランダムアクセスメモリ（ＲＡＭ）、磁気ディスク、または光ディスク等の）記憶媒体の中に記憶され、（モバイルフォン、コンピュータ、サーバ、ネットワークデバイス、または同等物であり得る）端末デバイスが本開示の実施形態による方法を実施することを可能にするためのいくつかの命令を含む。
【００６６】
実施形態３
【００６７】
本実施形態はさらに、キャリア集合を決定するための装置を提供する。本装置は、上記に言及される実施形態および好ましい実装様式を実装するように構成される。説明されたものは、繰り返されないであろう。下記に使用されるように、用語「モジュール」は、所定の機能を実装することが可能である、ソフトウェア、ハードウェア、またはその組み合わせであり得る。下記に説明される実施形態における装置は、好ましくは、ソフトウェアによって実装されるが、ハードウェアによる、またはソフトウェアとハードウェアとの組み合わせによる実装もまた、可能性として考えられ、想起される。
【００６８】
図８は、本開示のある実施形態による、キャリア集合を決定するための装置の構造ブロック図である。図８に示されるように、装置は、サイドリンク伝送を実施するＵＥのための所定の論理チャネル群に対応する第１のキャリア集合を決定するように構成される、決定モジュール８２を含む。所定の論理チャネル群は、１つ以上の論理チャネルと、同一の宛先ＩＤに対応する論理チャネル群の中の論理チャネルとを含む。
【００６９】
随意の実施形態では、決定モジュール８２は、以下のユニット、すなわち、サイドリンク伝送を実施するＵＥのための第２のキャリア集合を決定するように構成される、第１の決定ユニットと、第２のキャリア集合から第１のキャリア集合を決定するように構成される、第２のキャリア集合とを含む。
【００７０】
随意の実施形態では、上記の第１の決定ユニットはさらに、ＵＥによって伝送される必要があるサービスのタイプ、ＵＥの伝送能力、キャリアが搬送することが可能であるサービスのタイプ、キャリア上のＣＢＲ、キャリアによって使用される同期基準情報であって、同期基準、同期基準ソース、または同期構成を含む、同期基準情報のうちの少なくとも１つに従って第２のキャリア集合を決定するように構成される、または基地局から第２のキャリア集合を受信するように構成される。
【００７１】
随意の実施形態では、第２のキャリア集合の中の各キャリアは、同一の同期基準、同一の同期基準ソース、または同一の同期構成を使用する。
【００７２】
随意の実施形態では、同期構成は、キャリアの最高優先度同期基準タイプ、キャリアの同期基準ソースタイプ、またはキャリアの同期基準優先度を含む。
【００７３】
随意の実施形態では、上記の第１の決定ユニットはさらに、ＵＥによって伝送される必要があるサービスにそれぞれ対応するキャリア集合を、第１の候補キャリア集合として見なし、第１の候補キャリア集合の中のキャリアを、キャリアが搬送することが可能であるサービスのタイプ、キャリア上のＣＢＲ、およびキャリアによって使用される同期基準情報のうちの少なくとも１つに従って順序付け、ＵＥの伝送能力に従って、順序付けられた第１の候補キャリア集合から、所定の数のキャリアを第２のキャリア集合として順に選択するように構成される。
【００７４】
随意の実施形態では、上記の第２の決定ユニットは、以下のサブユニット、すなわち、所定の論理チャネル群の中に含まれるサービスタイプに対応するキャリア集合に従って、所定の論理チャネル群に対応する第２の候補キャリア集合を決定するように構成される、第１の決定サブユニットと、第２のキャリア集合と第２の候補キャリア集合との共通部分集合の部分集合を第１のキャリア集合として決定するように構成される、第２の決定サブユニットとを含む。
【００７５】
随意の実施形態では、上記の第２の決定ユニットはさらに、所定の論理チャネル群に含まれるサービスタイプに対応するキャリア集合に従って、所定の論理チャネル群に対応する第２の候補キャリア集合を決定し、第２のキャリア集合と第２の候補キャリア集合との共通部分集合の部分集合を第１のキャリア集合として決定するように構成される。
【００７６】
随意の実施形態では、上記の第２の決定ユニットはさらに、所定の論理チャネル群に対応する宛先ＩＤが、１つ以上のサービスタイプに対応し、１つ以上のサービスタイプが、同一のキャリア集合に対応する場合、第２の候補キャリア集合を、所定の論理チャネル群の中に含まれるサービスタイプのいずれか１つに対応するキャリア集合として決定することと、所定の論理チャネル群に対応する宛先ＩＤが、複数のサービスタイプに対応し、所定の論理チャネル群の中に含まれる複数のサービスタイプのキャリア集合の相互作用集合が、非空集合である場合、第２の候補キャリア集合を、所定の論理チャネル群の中に含まれる複数のサービスタイプのキャリア集合の相互作用集合として決定することと、所定の論理チャネル群に対応する宛先ＩＤが、複数のサービスタイプに対応する場合、第２の候補キャリア集合を、所定の論理チャネル群の中に含まれる複数のサービスタイプのキャリア集合の合併集合として決定することとを行うように構成される。
【００７７】
随意の実施形態では、上記の第１の決定ユニットはさらに、ＵＥのプロトコルスタックの上位層によって、第２のキャリア集合を決定し、ＵＥのプロトコルスタックの上位層によって、ＵＥのプロトコルスタックの下位層に、内部インターフェースを通して第２のキャリア集合を構成するように構成される。
【００７８】
随意の実施形態では、上記の第１の決定サブユニットはさらに、ＵＥのプロトコルスタックの上位層によって、所定の論理チャネル群の中に含まれるサービスタイプに対応するキャリア集合に従って第２の候補キャリア集合を決定し、ＵＥのプロトコルスタックの上位層によって、ＵＥのプロトコルスタックの下位層に、内部インターフェースを通して第２の候補キャリア集合を構成するように構成される。第２のキャリア集合と第２の候補キャリア集合との共通部分集合の部分集合を第１のキャリア集合として決定する動作は、ＵＥのプロトコルスタックの下位層によって、第２のキャリア集合と第２の候補キャリア集合との共通部分集合の部分集合を第１のキャリア集合として決定する動作を含む。
【００７９】
随意の実施形態では、第１の決定サブユニットはさらに、ＵＥのプロトコルスタックの上位層によって、所定の論理チャネル群の中に含まれるサービスタイプに対応するキャリア集合に従って第２の候補キャリア集合を決定するように構成される。第２のキャリア集合と第２の候補キャリア集合との共通部分集合の部分集合を第１のキャリア集合として決定する動作は、ＵＥのプロトコルスタックの上位層によって、第２のキャリア集合と第２の候補キャリア集合との共通部分集合の部分集合を第１のキャリア集合として決定する動作と、ＵＥのプロトコルスタックの上位層によって、ＵＥのプロトコルスタックの下位層に、内部インターフェースを通して第１のキャリア集合を構成する動作とを含む。
【００８０】
随意の実施形態では、ＵＥのプロトコルスタックの上位層は、ＵＥのＲＲＣ層を含み、ＵＥのプロトコルスタックの下位層は、ＵＥのＭＡＣ層またはＵＥのＰＨＹ層を含む。
【００８１】
随意の実施形態では、上記の装置はさらに、サイドリンク伝送を実施するＵＥのための所定の論理チャネル群に対応する第１のキャリア集合を決定するステップの後、所定の論理チャネル群の中の論理チャネル内のデータパケットの優先順位および第１のキャリア集合の中のキャリアのＣＢＲに従って、第１のキャリア集合から論理チャネルに対応するキャリア集合を決定するように構成される。
【００８２】
上記に説明される種々のモジュールが、ソフトウェアまたはハードウェアによって実装され得ることに留意されたい。ハードウェアによる実装は、必ずしもではないが、以下の様式で、すなわち、上記に説明されるモジュールが、同一のプロセッサの中に位置するか、または上記に説明される種々のモジュールが、任意の組み合わせ形態における、異なるプロセッサの中に位置するように実施されてもよい。
【００８３】
実施形態４
【００８４】
本開示のある実施形態はさらに、記憶媒体を提供する。記憶媒体は、コンピュータプログラムを記憶するように構成される。コンピュータプログラムは、実行されると、上記に言及される方法の実施形態のいずれか１項に記載のステップを実行する。
【００８５】
随意に、本実施形態では、上記に言及される記憶媒体は、下記に説明されるステップを実行するためのコンピュータプログラムを記憶するように構成されてもよい。
【００８６】
Ｓ１において、サイドリンク伝送を実施するＵＥのための所定の論理チャネル群に対応する第１のキャリア集合が、決定される。所定の論理チャネル群は、１つ以上の論理チャネルを含み、所定の論理チャネル群の中の論理チャネルは、同一の宛先ＩＤに対応する。
【００８７】
随意に、本実施形態では、上記に言及される記憶媒体は、限定ではないが、ユニバーサルシリアルバス（ＵＳＢ）ディスク、ＲＯＭ、ＲＡＭ、モバイルハードディスク、磁気ディスク、光ディスク、またはコンピュータプログラムを記憶することが可能である別の媒体を含み得る。
【００８８】
本開示のある実施形態はさらに、電子デバイスを提供する。電子デバイスは、メモリと、プロセッサとを含む。メモリは、コンピュータプログラムを記憶するように構成され、プロセッサは、上記に説明される方法の実施形態のいずれか１項に記載のステップを実行するためのコンピュータプログラムを実行するように構成される。
【００８９】
随意に、上記に説明される電子デバイスはさらに、伝送デバイスと、入力／出力デバイスとを含んでもよく、伝送デバイスおよび入力／出力デバイスは両方とも、上記に説明されるプロセッサに接続される。
【００９０】
随意に、本実施形態では、プロセッサは、コンピュータプログラムを通して下記に説明されるステップを実行するように構成されてもよい。
【００９１】
Ｓ１において、サイドリンク伝送を実施するＵＥのための所定の論理チャネル群に対応する第１のキャリア集合が、決定される。所定の論理チャネル群は、１つ以上の論理チャネルを含み、所定の論理チャネル群の中の論理チャネルは、同一の宛先ＩＤに対応する。
【００９２】
随意に、本実施形態の具体的実施例に関して、上記に言及される実施形態および随意の実装において説明される実施例が、参照され得、これは、本実施形態では繰り返されない。
【００９３】
明白なこととして、上記に説明される本開示のモジュールまたはステップがそれぞれ、汎用目的コンピューティングデバイスによって実装され得、モジュールまたはステップが、単一のコンピューティングデバイス上に集中される、または複数のコンピューティングデバイスから構成されるネットワーク上に分散され得、代替として、モジュールまたはステップが、モジュールまたはステップが、記憶デバイスの中に記憶され、コンピューティングデバイスによって実行され得るように、コンピューティングデバイスによって実行可能なプログラムコードによって実装され得ることが、当業者によって理解されるはずである。いくつかの状況において、例証または説明されるステップは、本明細書に説明されるものと異なるシーケンスで実行されてもよい、またはモジュールまたはステップは、別個に種々の集積回路モジュールに作製されてもよい、またはその中の複数のモジュールまたはステップは、実装のために単一の集積回路モジュールに作製されてもよい。このように、本開示は、ハードウェアとソフトウェアとのいかなる具体的な組み合わせにも限定されない。上記は、本開示の好ましい実施形態にすぎず、本開示を限定することは意図していない。加えて、本開示で説明される、ｉ、ｊ、ｋおよびキャリア集合Ａ、ＢおよびＣ等の番号は、本方法を説明する便宜上の標識された番号にすぎず、その対応関係を表しているにすぎない。
【００９４】
上記は、本開示の好ましい実施形態にすぎず、本開示を限定することは意図しておらず、当業者のために、本開示は、種々の修正および変形例を有し得る。本開示の原理の範囲内にあるいかなる修正、均等な代替物、改良、および同等物も、本開示の範囲内にあるものとする。
【産業上の利用可能性】
【００９５】
本開示の実施形態は、キャリア集合を決定するための方法および装置、記憶媒体、および電子デバイスを提供し、これは、以下の有益な効果、すなわち、ＵＥが、関連技術においてサイドリンク伝送を実施するときに完全なキャリア集合を決定するための方法を少なくとも欠いているという問題が、解決されることと、サイドリンク伝送を実施するためにＵＥによって要求されるキャリア集合を決定するという目的が、達成されることとを有する。
【図１】
2021513786.tif 000010
【図２】
2021513786.tif 000011
【図３】
2021513786.tif 000012
【図４】
2021513786.tif 000013
【図５】
2021513786.tif 000014
【図６】
2021513786.tif 000015
【図７】
2021513786.tif 000016
【図８】
2021513786.tif 000017
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
キャリア集合を決定するための方法であって、
論理チャネルにおけるデータパケットの優先順位とキャリアのチャネルビジー比率（ＣＢＲ）とに従って、サイドリンク伝送を実施するユーザ機器（ＵＥ）のための前記論理チャネルに対応する第１のキャリア集合を決定すること
を含む、方法。
【請求項２】
前記サイドリンク伝送を実施する前記ＵＥのための前記論理チャネルに対応する前記第１のキャリア集合を決定することは、
前記サイドリンク伝送を実施する前記ＵＥのための第２のキャリア集合を決定することと、
前記第２のキャリア集合から前記第１のキャリア集合を決定することと
を含む、請求項１に記載の方法。
【請求項３】
前記サイドリンク伝送を実施する前記ＵＥのための前記第２のキャリア集合を決定することは、
キャリアによって使用される同期基準情報に従って、前記第２のキャリア集合を決定することであって、前記同期基準情報は、同期構成を含む、こと
を含む、請求項２に記載の方法。
【請求項４】
前記第２のキャリア集合の中の各キャリアは、前記同期構成を使用する、請求項３に記載の方法。
【請求項５】
前記同期構成は、前記キャリアの同期基準優先度を含む、請求項４に記載の方法。
【請求項６】
前記サイドリンク伝送を実施する前記ＵＥのための前記第２のキャリア集合を決定することは、
キャリアによって使用される同期基準情報に従って、前記第２のキャリア集合を決定することであって、前記同期基準情報は、同期基準を含む、こと
を含む、請求項２に記載の方法。
【請求項７】
第１のキャリアのＣＢＲが閾値以下にあるとき、前記論理チャネルのための前記第１のキャリアを使用することを含み、前記閾値は、各近接サービスパケット毎優先順位（ＰＰＰＰ）に対して前記第１のキャリアのために構成されている、請求項１に記載の方法。
【請求項８】
デバイスであって、
論理チャネルにおけるデータパケットの優先順位とキャリアのチャネルビジー比率（ＣＢＲ）とに従って、サイドリンク伝送を実施するユーザ機器（ＵＥ）のための前記論理チャネルに対応する第１のキャリア集合を決定するように構成されている、少なくとも１つのプロセッサ
を備える、デバイス。
【請求項９】
前記少なくとも１つのプロセッサは、
前記サイドリンク伝送を実施する前記ＵＥのための第２のキャリア集合を決定することと、
前記第２のキャリア集合から前記第１のキャリア集合を決定することと
によって、前記サイドリンク伝送を実施する前記ＵＥのための前記論理チャネルに対応する前記第１のキャリア集合を決定するように構成されている、請求項８記載のデバイス。
【請求項１０】
前記少なくとも１つのプロセッサは、キャリアによって使用される同期基準情報に従って前記第２のキャリア集合を決定することによって、前記サイドリンク伝送を実施する前記ＵＥのための前記第２のキャリア集合を決定するように構成され、前記同期基準情報は、同期構成を含む、請求項９に記載のデバイス。
【請求項１１】
前記第２のキャリア集合の中の各キャリアは、前記同期構成を使用する、請求項１０に記載のデバイス。
【請求項１２】
前記同期構成は、前記キャリアの同期基準優先度を含む、請求項１１に記載のデバイス。
【請求項１３】
前記少なくとも１つのプロセッサは、キャリアによって使用される同期基準情報に従って前記第２のキャリア集合を決定するによって、前記サイドリンク伝送を実施する前記ＵＥのための前記第２のキャリア集合を決定するように構成され、前記同期基準情報は、同期基準を含む、請求項９に記載のデバイス。
【請求項１４】
前記少なくとも１つのプロセッサは、第１のキャリアのＣＢＲが閾値以下にあるとき、前記論理チャネルのための前記第１のキャリアを使用するように構成され、前記閾値は、各近接サービスパケット毎優先順位（ＰＰＰＰ）に対して前記第１のキャリアのために構成されている、請求項８に記載のデバイス。
【請求項１５】
命令を記憶する非一時的なコンピュータ可読媒体であって、前記命令は、少なくとも１つのプロセッサによって実行されるとき、前記少なくとも１つのプロセッサに、請求項１〜７のいずれか１項に記載の方法を実施させる、非一時的なコンピュータ可読媒体。
【手続補正２】
【補正対象書類名】明細書
【補正対象項目名】００１３
【補正方法】変更
【補正の内容】
【００１３】
本開示の実施形態によると、所定の論理チャネル群に対応するキャリア集合が、決定され、サイドリンク伝送を実施するために、ＵＥに適用される。したがって、ＵＥが、関連技術においてサイドリンク伝送を実施するときに完全なキャリア集合を決定するための方法を欠いているという問題が、解決され、サイドリンク伝送を実施するためにＵＥによって要求されるキャリア集合を決定するステップの目的が、達成される。
本願明細書は、例えば、以下の項目も提供する。
（項目１）
キャリア集合を決定するための方法であって、
サイドリンク伝送を実施するユーザ機器（ＵＥ）のための所定の論理チャネル群に対応する第１のキャリア集合を決定すること
を含み、
前記所定の論理チャネル群は、１つ以上の論理チャネルを含み、前記所定の論理チャネル群の中の前記論理チャネルは、同一の宛先識別子（ＩＤ）に対応する、方法。
（項目２）
前記サイドリンク伝送を実施する前記ＵＥのための前記所定の論理チャネル群に対応する前記第１のキャリア集合を決定することは、
前記サイドリンク伝送を実施する前記ＵＥのための第２のキャリア集合を決定することと、
前記第２のキャリア集合から前記第１のキャリア集合を決定することと
を含む、項目１に記載の方法。
（項目３）
前記サイドリンク伝送を実施する前記ＵＥのための第２のキャリア集合を決定することは、
前記ＵＥによって伝送される必要があるサービスのタイプ、前記ＵＥの伝送能力、キャリアが搬送することが可能であるサービスのタイプ、前記キャリア上のチャネルビジー比率（ＣＢＲ）、前記キャリアによって使用される同期基準情報のうちの少なくとも１つに従って、前記第２のキャリア集合を決定することであって、前記同期基準情報は、同期基準、同期基準ソース、または同期構成を含む、こと、または
基地局から前記第２のキャリア集合を受信すること
を含む、項目２に記載の方法。
（項目４）
前記第２のキャリア集合の中の各キャリアは、同一の同期基準、同一の同期基準ソース、または同一の同期構成を使用する、項目３に記載の方法。
（項目５）
前記同期構成は、前記キャリアの最高優先度同期基準タイプ、前記キャリアの同期基準ソースタイプ、または前記キャリアの同期基準優先度を含む、項目４に記載の方法。
（項目６）
前記キャリアが搬送することが可能である前記サービスのタイプ、前記キャリア上の前記ＣＢＲ、または前記キャリアによって使用される前記同期基準情報のうちの少なくとも１つに従って、かつ前記ＵＥによって伝送される必要がある前記サービスおよび前記ＵＥの伝送能力に従って、前記第２のキャリア集合を決定することは、
前記ＵＥによって伝送される必要があるサービスにそれぞれ対応するキャリア集合を、第１の候補キャリア集合として見なすことと、
前記第１の候補キャリア集合の中のキャリアを、前記キャリアが搬送することが可能である前記サービスのタイプ、前記キャリア上の前記ＣＢＲ、および前記キャリアによって使用される前記同期基準情報のうちの少なくとも１つに従って順序付けることと、
前記ＵＥの伝送能力に従って、前記順序付けられた第１の候補キャリア集合から、所定の数のキャリアを前記第２のキャリア集合として順に選択することと
を含む、項目３に記載の方法。
（項目７）
前記第２のキャリア集合から前記第１のキャリア集合を決定することは、
前記所定の論理チャネル群の中に含まれるサービスタイプに対応するキャリア集合に従って、前記所定の論理チャネル群に対応する第２の候補キャリア集合を決定することと、
前記第２のキャリア集合と前記第２の候補キャリア集合との共通部分集合の部分集合を前記第１のキャリア集合として決定することと
を含む、項目２に記載の方法。
（項目８）
前記所定の論理チャネル群の中に含まれる前記サービスタイプに対応する前記キャリア集合に従って、前記所定の論理チャネル群に対応する前記第２の候補キャリア集合を決定することは、
前記所定の論理チャネル群に対応する前記宛先ＩＤが、１つ以上のサービスタイプに対応すること、および前記１つ以上のサービスタイプが、同一のキャリア集合に対応することを決定することに応答して、前記第２の候補キャリア集合を、前記所定の論理チャネル群の中に含まれる前記サービスタイプのうちのいずれか１つに対応するキャリア集合として決定すること、
前記所定の論理チャネル群に対応する前記宛先ＩＤが、複数のサービスタイプに対応すること、および前記所定の論理チャネル群の中に含まれる前記複数のサービスタイプのキャリア集合の相互作用集合が、非空集合であることを決定することに応答して、前記第２の候補キャリア集合を、前記所定の論理チャネル群の中に含まれる前記複数のサービスタイプのキャリア集合の相互作用集合として決定すること、または
前記所定の論理チャネル群に対応する前記宛先ＩＤが、複数のサービスタイプに対応することを決定することに応答して、前記第２の候補キャリア集合を、前記所定の論理チャネル群の中に含まれる前記複数のサービスタイプのキャリア集合の合併集合として決定すること
のうちの１つを含む、項目７に記載の方法。
（項目９）
前記サイドリンク伝送を実施する前記ＵＥのための前記第２のキャリア集合を決定することは、
前記ＵＥのプロトコルスタックの上位層によって、前記第２のキャリア集合を決定することと、
前記ＵＥのプロトコルスタックの上位層によって、前記ＵＥのプロトコルスタックの下位層に、内部インターフェースを通して前記第２のキャリア集合を構成することと
を含む、項目７に記載の方法。
（項目１０）
前記所定の論理チャネル群の中に含まれる前記サービスタイプに対応する前記キャリア集合に従って、前記所定の論理チャネル群に対応する前記第２の候補キャリア集合を決定することは、
前記ＵＥのプロトコルスタックの上位層によって、前記所定の論理チャネル群の中に含まれる前記サービスタイプに対応する前記キャリア集合に従って、前記第２の候補キャリア集合を決定することと、
前記ＵＥのプロトコルスタックの上位層によって、前記ＵＥのプロトコルスタックの下位層に、前記内部インターフェースを通して前記第２の候補キャリア集合を構成することと
を含み、
前記第２のキャリア集合と前記第２の候補キャリア集合との共通部分集合の部分集合を、前記第１のキャリア集合として決定することは、
前記ＵＥのプロトコルスタックの下位層によって、前記第２のキャリア集合と前記第２の候補キャリア集合との共通部分集合の部分集合を、前記第１のキャリア集合として決定すること
を含む、項目９に記載の方法。
（項目１１）
前記所定の論理チャネル群の中に含まれる前記サービスタイプに対応する前記キャリア集合に従って、前記所定の論理チャネル群に対応する前記第２の候補キャリア集合を決定することは、
前記ＵＥのプロトコルスタックの上位層によって、前記所定の論理チャネル群の中に含まれる前記サービスタイプに対応する前記キャリア集合に従って、前記第２の候補キャリア集合を決定すること
を含み、
前記第２のキャリア集合と前記第２の候補キャリア集合との共通部分集合の部分集合を、前記第１のキャリア集合として決定することは、
前記ＵＥのプロトコルスタックの上位層によって、前記第２のキャリア集合と前記第２の候補キャリア集合との共通部分集合の部分集合を、前記第１のキャリア集合として決定することと、
前記ＵＥのプロトコルスタックの上位層によって、前記ＵＥのプロトコルスタックの下位層に、内部インターフェースを通して前記第１のキャリア集合を構成することと
を含む、項目７に記載の方法。
（項目１２）
前記ＵＥのプロトコルスタックの上位層は、前記ＵＥの無線リソース制御（ＲＲＣ）層を含み、
前記ＵＥのプロトコルスタックの下位層は、前記ＵＥの媒体アクセス制御（ＭＡＣ）層または前記ＵＥの物理（ＰＨＹ）層を含む、項目９から１１のいずれか１項に記載の方法。
（項目１３）
前記サイドリンク伝送を実施する前記ＵＥのための前記所定の論理チャネル群に対応する前記第１のキャリア集合を決定することの後、前記方法はさらに、
前記所定の論理チャネル群の中の前記論理チャネル内のデータパケットの優先順位、および前記第１のキャリア集合の中のキャリアのＣＢＲに従って、前記第１のキャリア集合から論理チャネルに対応するキャリア集合を決定すること
を含む、項目１に記載の方法。
（項目１４）
キャリア集合を決定するための装置であって、
決定モジュールであって、前記決定モジュールは、サイドリンク伝送を実施するユーザ機器（ＵＥ）のための所定の論理チャネル群に対応する第１のキャリア集合を決定するように構成される、決定モジュール
を備え、
前記所定の論理チャネル群は、１つ以上の論理チャネルを含み、前記論理チャネル群の中の前記論理チャネルは、同一の宛先識別子（ＩＤ）に対応する、装置。
（項目１５）
前記決定モジュールは、
第１の決定ユニットであって、前記第１の決定ユニットは、前記サイドリンク伝送を実施する前記ＵＥのための第２のキャリア集合を決定するように構成される、第１の決定ユニットと、
第２の決定ユニットであって、前記第２の決定ユニットは、前記第２のキャリア集合から前記第１のキャリア集合を決定するように構成される、第２の決定ユニットと
を備える、項目１４に記載の装置。
（項目１６）
前記第２の決定ユニットは、
第１の決定サブユニットであって、前記第１の決定サブユニットは、前記所定の論理チャネル群の中に含まれるサービスタイプに対応するキャリア集合に従って、前記所定の論理チャネル群に対応する第２の候補キャリア集合を決定するように構成される、第１の決定サブユニットと、
第２の決定サブユニットであって、前記第２の決定サブユニットは、前記第２のキャリア集合と前記第２の候補キャリア集合との共通部分集合の部分集合を、前記第１のキャリア集合として決定するように構成される、第２の決定サブユニットと
を備える、項目１５に記載の装置。
（項目１７）
コンピュータプログラムを記憶するように構成される記憶媒体であって、前記コンピュータプログラムは、実行されると、項目１から１３のいずれか１項に記載の方法を実行する、記憶媒体。
（項目１８）
電子デバイスであって、前記電子デバイスは、メモリと、プロセッサとを備え、前記メモリは、コンピュータプログラムを記憶するように構成され、前記プロセッサは、項目１から１３のいずれか１項に記載の方法を実行するための前記コンピュータプログラムを実行するように構成される、電子デバイス。
【国際調査報告】
2021513786.tif 000018
2021513786.tif 000019
2021513786.tif 000020
2021513786.tif 000021